(57)【要約】【課題】吐水流の形状の乱れを抑えられる技術を提供する。【解決手段】吐出通路３３が内部に形成される吐水部材１９を備え、吐出通路３３は、水を吐き出すための吐出口１３と、上流側から流入する水を溜めるための貯溜室３７と、貯溜室３７内の水を吐出口１３に送り出すための絞り流路３９とにより形成され、吐水部材１９は、下側分割部材５１と上側分割部材５３を組み付けて構成され、吐出口１３、貯溜室３７及び絞り流路３９のそれぞれが下側分割部材５１と上側分割部材５３の両方により画定される。【選択図】図４
2020041417.tif 000002
【特許請求の範囲】
【請求項１】
吐出通路が内部に形成される吐水部材を備え、
前記吐出通路は、水を吐き出すための吐出口と、上流側から流入する水を溜めるための貯溜室と、前記貯溜室内の水を前記吐出口に送り出すための絞り流路とにより形成され、
前記吐水部材は、第１分割部材と第２分割部材を組み付けて構成され、
前記吐出口、前記貯溜室及び前記絞り流路のそれぞれが前記第１分割部材と前記第２分割部材の両方により画定されることを特徴とする吐水装置。
【発明の詳細な説明】
【技術分野】
【０００１】
本発明は、水を吐き出すための吐水装置とこれを備える浴槽装置に関する。
【背景技術】
【０００２】
従来より、膜状の吐水流を吐き出すための吐水装置が知られる（例えば、特許文献１参照）。これは浴槽に設置され、吐水口から吐水流が吐き出される。膜状の吐水流が滝状に流れ落ちる様子は美観に優れるうえ、入浴者の肩に吐水流をかける等してリラックス効果が得られる。
【先行技術文献】
【特許文献】
【０００３】
【特許文献１】特許第４０６６４５９号公報
【発明の概要】
【発明が解決しようとする課題】
【０００４】
特許文献１の吐水装置では、吐水口に水を導く通水路が装置本体の内部に形成され、その装置本体の通水路が単一部品により形成されている。また、装置本体は、金属鋳造品により一体成形されていると考えられる。一般に、単一部品により中空断面を有する部位を一体成形する場合、その内壁面の寸法精度を確保し難く、その内壁面の面粗さが高くなり易い。特に、装置本体を金属鋳造品により一体成形する場合、その内壁面が鋳肌面のままとなるため、さらに面が粗くなり易い。面粗さが高いと、通水路を流れる水流が乱れ易くなり、吐水流の形状が乱れることで美観を損ないかねない。
【０００５】
本発明は、このような課題に鑑みてなされ、その目的は、吐水流の形状の乱れを抑えられる技術を提供することにある。
【課題を解決するための手段】
【０００６】
上記課題を解決するために、本発明のある態様の吐水装置は、吐出通路が内部に形成される吐水部材を備え、吐出通路は、水を吐き出すための吐出口と、上流側から流入する水を溜めるための貯溜室と、貯溜室内の水を吐出口に送り出すための絞り流路とにより形成され吐水部材は、第１分割部材と第２分割部材を組み付けて構成され、吐出口、貯溜室及び絞り流路のそれぞれが第１分割部材と第２分割部材により画定される。
この態様によると、各分割部材を分解したとき、吐出口から貯溜室の範囲にかけて、吐出通路の内壁面を外部空間に露出させることができる。一般に、中空断面を有する部位を成型するうえでは、単一部品により一体成形するよりも、複数部品により別々に成形して、その内壁面が外部空間に露出するようにした方が成形難度が低くなり、その内壁面の寸法精度を確保し易くなる。よって、吐出通路の内壁面の面粗さを抑え易くなり、その面粗さに起因する吐水流の形状の乱れを抑え易くなる。
【０００７】
貯溜室は、吐出通路の対向する一対の壁面のそれぞれが、絞り流路の入口より互いに離れる方向に広がるように形成されてもよい。
この態様によると、貯溜室内の水の水圧を低くして、その流速も低くし易くなり、貯溜室内で流速が均一となるように効果的に整流できる。
【０００８】
吐水部材は、吐出通路内に配置され、吐出通路の対向する一対の壁面の間隔を保持する間隔保持部を更に有してもよい。
この態様によると、吐出通路の間隔を狭めるような荷重が吐水部材に加わる場合でも、この間隔を保持できるため、吐水流の形状の乱れを抑え易くなる。
【０００９】
間隔保持部は、貯溜室内に配置されてもよい。
この態様によると、間隔保持部により水流が分断されても、分断された水流が吐出口に到達する前に早期に合流し易くなり、水流の分断に起因する吐水流の形状の乱れを抑え易くなる。
【００１０】
第１分割部材及び第２分割部材は、互いに突き合わせられる複数の合わせ面と、複数の合わせ面間に介装され、該複数の合わせ面の間をシールするシール部材と、を有してもよい。
この態様によると、吐出通路内の水が合わせ面間を通して外部に漏洩するのを規制できる。
【００１１】
第１分割部材及び第２分割部材は、吐水部材を上下に分割した形状を有する上側分割部材及び下側分割部材であり、複数の合わせ面は、上下方向に対向して設けられ、シール部材は、下側分割部材の合わせ面に形成される溝部内に配置されてもよい。
この態様によると、シール部材を溝部内に非接着で載せた状態のまま上側分割部材を下側分割部材に組み付け可能となり、組み付け時の作業性が良好になる。
【００１２】
吐水部材は、第１分割部材と第２分割部材を組み付けるときに、該第１分割部材と該第２分割部材とを位置決めする位置決め構造を有してもよい。
この態様によると、各分割部材の組み付け時にこれらを容易に位置決めでき、その組み付け時の作業性が良好になる。
【００１３】
吐水部材は、吐出通路の横幅方向両側と、吐出口とは反対側の奥側との三方から該吐出通路を囲む周壁部を有してもよい。第１分割部材及び第２分割部材は、周壁部の内周壁面に沿うように間隔を空けて配置される複数の固定具により結合され、複数の固定具は、吐水部材の横幅方向両端部での間隔より中間部での間隔が狭くなるように配置されてもよい。
この態様によると、吐水部材の中間部では固定具の間隔を広くしてその数を抑えつつ、その両端部では固定具の間隔を狭くして曲げモーメントに効果的に抵抗でき、各分割部材が結合した状態を安定して維持できる。
【００１４】
第１分割部材と第２分割部材は樹脂成形品であってもよい。
この態様によると、金属鋳造品のような鋳肌面が吐出通路の内壁面に生じず、金属鋳造品とするより大きく面粗さを抑えられる。
【００１５】
吐出口は横長なスリット状に形成され、吐出通路は吐出口の延びる方向に横長に形成されてもよい。
【００１６】
また、本発明の別の態様は浴槽装置に関する。浴槽装置は、前述の態様の吐水装置と、吐水装置が設置される浴槽を備える。
【発明の効果】
【００１７】
本発明によれば、吐水流の形状の乱れを抑えられる。
【図面の簡単な説明】
【００１８】
【図１】実施形態に係る吐水装置の使用状態を示す斜視図である。
【図２】実施形態に係る吐水装置に用いられる給水系を示す構成図である。
【図３】実施形態に係る吐水装置の正面図である。
【図４】図３のＡ−Ａ線断面図である。
【図５】図５（ａ）は実施形態に係る吐水部材の吐出通路を示す平面図であり、図５（ｂ）は間隔保持部を示す平面図である。
【図６】実施形態に係る吐水装置の分解斜視図である。
【図７】図７（ａ）は実施形態に係る吐水部材の吐出通路を示す側面断面図であり、図７（ｂ）は上側分割部材と下側分割部材を分解した状態を示す図である。
【図８】図３のＢ−Ｂ線断面図である。
【図９】図９（ａ）は図３のＤ−Ｄ線断面図であり、図９（ｂ）は上側分割部材と下側分割部材を分解した状態を示す図である。
【発明を実施するための形態】
【００１９】
図１は本実施形態に係る吐水装置１０の使用状態を示す斜視図である。
吐水装置１０は浴槽装置２００に用いられる。浴槽装置２００は、吐水装置１０の他に、浴槽２１０を備える。浴槽２１０のリム部２１５には設置面２１７が設けられる。吐水装置１０は、設置面２１７に設置される装置本体１１を備える。装置本体１１は横長扁平に形成され、膜状の横長な吐水流Ｗが吐出口１３から前方に吐き出される。
【００２０】
図２は吐水装置１０に用いられる給水系２２０を示す構成図である。
給水系２２０は、吐水装置１０の上流側に設けられる給水ポンプ２２１を備える。吐水装置１０は、装置本体１１の他に、導水部１５を備える。給水ポンプ２２１は、導水部１５に吐出側導管２２３を介して接続され、給水源となる浴槽２１０に吸引側導管２２５を介して接続される。給水ポンプ２２１は、その駆動により、吸引側導管２２５を通して浴槽２１０内の浴槽水２１１を吸引し、吐出側導管２２３を通して導水部１５に水を圧送する。吐水装置１０は導水部１５に水が圧送されると装置本体１１から吐水流Ｗを吐き出す。
【００２１】
図３は吐水装置１０の正面図である。
装置本体１１の前部には、横長なスリット状の吐出口１３が設けられる。導水部１５は、吐出口１３の横幅方向に間隔を空けて装置本体１１から下方に突き出るように複数設けられる。なお、以下の説明では、吐出口１３の横幅方向を方向Ｘ、これに直交する水平方向を前後方向Ｙ、鉛直方向を上下方向Ｚという。方向Ｘは後述する吐出通路３３の横幅方向とも一致する。
【００２２】
図４は吐水装置１０の側面断面図である。本図は図３のＡ−Ａ線断面図でもある。
導水部１５は、設置面２１７に形成される貫通孔２２９に挿通される。導水部１５には下流側に給水するための導水路１７が内部に形成され、その先端部には吐出側導管２２３が接続される。導水部１５の設置面２１７と反対側に突き出た部位にはナット等の固定部材２３１がねじ込み等により取り付けられる。装置本体１１は、固定部材２３１との間で浴槽２１０を挟み込むことにより浴槽２１０に固定される。なお、固定部材２３１と浴槽２１０の間にはＯリング等のシールリング２３３が介装される。
【００２３】
装置本体１１は、吐水部材１９と、外装カバー２１を備え、これらを組み付けて構成される。吐水部材１９は、吐出口１３が前部に形成される通路部２３と、通路部２３上に設けられる天面部２５と、通路部２３の前部上面に設けられる照明取付部２７と、を有する。天面部２５の上面は、外装カバー２１の上面と面一になるように設けられ、これらにより装置本体１１の上面が構成される。天面部２５と通路部２３の間には中空空間２９が設けられる。照明取付部２７には照明装置３１が取り付けられる。照明装置３１は所定の波長の有色光や白色光を前方に投光する。これは吐水流Ｗや入浴者等に投光され、良好な視覚効果が得られる。
【００２４】
外装カバー２１は吐水部材１９の前部に脱着可能に取り付けられる。外装カバー２１は、照明装置３１を上方から覆うとともに、吐水部材１９の横幅方向Ｘ両端部１９ａ（図３参照）を前方から覆うように設けられる。
【００２５】
通路部２３は、その内部に吐出口１３を含む吐出通路３３が形成される。吐出通路３３は、上流側の導水路１７と下流側の外部空間２３５を連通する。吐出通路３３は、吐出口１３の延びる方向に横長な形状を有し、吐出口１３と、後述する貯溜室３７と、絞り流路３９とにより形成される。
【００２６】
吐出通路３３の下壁面７１には、貯溜室３７内に水を送り込む流入口３５が複数形成される。貯溜室３７には上流側となる導水路１７から流入口３５を通して水が流入し、その水が貯溜水として一時的に溜められる。貯溜室３７は、吐出通路３３の上下に対向する一対の下壁面７１と上壁面７３が、絞り流路３９の入口３９ａより、互いに離れる方向に広がるように形成される。なお、これら下壁面７１と上壁面７３は、吐出通路３３の横幅方向Ｘと直交する方向Ｚに対向している。
【００２７】
絞り流路３９は貯溜室３７の下流側に設けられ、貯溜室３７と吐出口１３を連通する。絞り流路３９は、一対の下壁面７１と上壁面７３との間隔である通路高さが貯溜室３７より小さくなるように形成される。絞り流路３９は、その入口３９ａから吐出口１３までの範囲にかけて、略一定の通路高さに形成される。貯溜室３７内の貯溜水は絞り流路３９を通して吐出口１３に送り出される。貯溜水は絞り流路３９を通るときに絞られることで流速が高まり、吐出口１３から勢いよく吐水流Ｗが吐き出される。
【００２８】
図５（ａ）は吐出通路３３を示す平面図であり、図５（ｂ）は後述する間隔保持部６９の平面図である。本図は後述の下側分割部材５１の平面図でもある。
吐出通路３３の横幅方向Ｘ、前後方向Ｙの寸法を通路幅、奥行寸法とすると、吐出通路３３は、平面視において、通路幅より奥行寸法が小さくなるように形成される。また、吐出通路３３は、その横断面（図示しない）が通路高さより通路幅が大きくなるように横長に形成される。吐出通路３３の横幅方向Ｘ両側の側壁面３３ａは、貯溜室３７の奥側から吐出口１３側に近づくにつれて、吐出通路３３の通路幅が広がるように形成される。
【００２９】
通路部２３は、図４、図５（ａ）に示すように、下壁部４１と、上壁部４３と、一対の横壁部４５と、奥壁部４７とを有し、これらの内壁面により吐出通路３３が画定される。下壁部４１及び上壁部４３は吐出通路３３の上下方向Ｚ両側に設けられる。一対の横壁部４５は、吐出通路３３の横幅方向Ｘ両側に設けられる。奥壁部４７は、吐出通路３３の吐出口１３とは反対側の奥側に設けられる。一対の横壁部４５及び奥壁部４７は、吐出通路３３の横幅方向Ｘ両側と奥側との三方から吐出通路３３を囲む周壁部４９として設けられる。
【００３０】
図６は吐水装置１０の分解斜視図である。
吐水部材１９は、第１分割部材としての下側分割部材５１と、第２分割部材としての上側分割部材５３を組み付けて構成される。各分割部材５１、５３は樹脂成形品であり、吐水部材１９の周壁部４９を境界として上下に分割した形状を有する。
【００３１】
図７（ａ）は吐出通路３３を拡大して示す側面断面図であり、図７（ｂ）は各分割部材５１、５３を分解した状態を示す。
各分割部材５１、５３は、それらの境界部にて上下方向Ｚに対向する合わせ面５５を有する。合わせ面５５は、周壁部４９と同様に、吐出通路３３を三方から囲むように設けられる。各分割部材５１、５３は、互いの合わせ面５５を突き合わせた状態で組み付けられる。
【００３２】
下側分割部材５１は、貯溜室３７、絞り流路３９及び吐出口１３のそれぞれを部分的に画定する第１通路画定部５７を有する。第１通路画定部５７は、吐出通路３３の下壁面７１と、周壁部４９の内周壁面３３ｂの一部とにより形成される。第１通路画定部５７は、その前端側から奥側にかけて上方に開放する凹状に形成される。上側分割部材５３も、貯溜室３７、絞り流路３９及び吐出口１３のそれぞれを部分的に画定する第２通路画定部５９を有する。第２通路画定部５９は、吐出通路３３の上壁面７３と、周壁部４９の内周壁面３３ｂの一部とにより形成される。第２通路画定部５９は、その前端側から前後方向Ｙの途中位置にかけての領域Ｓ１において、下方に突き出るように凸状に形成される。また、第２通路画定部５９は、その前後方向Ｙの途中位置から奥側にかけての領域Ｓ２において、下方に開放する凹状に形成される。吐出口１３、貯溜室３７及び絞り流路３９のそれぞれは第１通路画定部５７と第２通路画定部５９の両方により画定される。
【００３３】
各分割部材５１、５３を分解したとき、吐出通路３３の内壁面となる各壁面７１、７３、３３ｂは外部空間２３５に露出する。このとき、下側分割部材５１の下壁面７１と上側分割部材５３の上壁面７３とは外部空間２３５に臨むように露出する。
【００３４】
吐出通路３３の貯溜室３７内には、図５（ａ）、図６に示すように、柱状体としての間隔保持部６９が配置される。間隔保持部６９は、横幅方向Ｘに間隔を空けて複数配置される。
【００３５】
間隔保持部６９の外周面６９ａは、図５（ｂ）に示すように、平面視において、円形状に形成される。換言すると、間隔保持部６９の外周面６９ａは、吐出通路３３内を流れる水流に対して流線形となるように形成される。詳細には、その上流側部分６９ｂが吐出通路３３内を流れる水流の下流側（本図では下側）に向かうにつれて横幅が徐々に大きくなり、その下流側部分６９ｃが下流側に向かうにつれて横幅が徐々に小さくなるように形成される。
【００３６】
図８は図３のＢ−Ｂ線断面図である。本図に記載の下側分割部材５１の形状は図５（ａ）のＣ−Ｃ線断面と合致する。
間隔保持部６９は、下側分割部材５１の下壁面７１から立ち上がり、その上面が上側分割部材５３の上壁面７３に接触する。これにより、間隔保持部６９は、吐出通路３３の上下に対向する上壁面７３と下壁面７１の間隔を保持する。
【００３７】
吐水部材１９は、図３に示すように、位置決め凹部７５と位置決め凸部７７により構成される位置決め構造７９を有する。位置決め構造７９は、吐水部材１９の横幅方向Ｘ両端部１９ａに設けられる。
【００３８】
図９（ａ）は図３のＤ−Ｄ線断面の一部を示す図であり、図９（ｂ）は各分割部材５１、５３を分解した状態を示す。本図に記載の下側分割部材５１の形状は図５（ａ）のＥ−Ｅ線断面と合致する。
位置決め凹部７５は、下側分割部材５１の合わせ面５５に開口する有底孔として形成される。位置決め凸部７７は、位置決め凹部７５に対応する位置にて上側分割部材５３に設けられ、その合わせ面５５から突き出るボスとして形成される。
【００３９】
下側分割部材５１と上側分割部材５３を組み付けるとき、作業者は、図９（ｂ）に示すように、各分割部材５１、５３を位置合せしつつ、複数の位置決め凹部７５内に対応する位置決め凸部７７が挿入させる。これにより、各分割部材５１、５３の組み付け時にこれらを容易に位置決めでき、その組み付け時の作業性が良好になる。
【００４０】
下側分割部材５１には、図８に示すように、周壁部４９に相当する箇所にねじ等の固定具８１を収納する収納部８３が複数設けられる。また、下側分割部材５１の間隔保持部６９にも、固定具８１を収納する収納部８３が設けられる。各収納部８３には固定具８１が挿通される挿通孔８５が形成される。上側分割部材５３には、挿通孔８５に対応する位置にねじ孔が被取付部８７として設けられる。固定具８１は被取付部８７に螺合等により先端部８１ａが留められる。各分割部材５１、５３は、これら固定具８１により脱着可能に結合される。
【００４１】
下側分割部材５１の収納部８３には、図９（ａ）に示すように、位置決め凹部７５と同軸上に設けられるものが含まれる。この収納部８３の挿通孔８５に対応する上側分割部材５３の被取付部８７は、位置決め凸部７７に設けられる。
【００４２】
下側分割部材５１と上側分割部材５３は、図８に示すように、複数の合わせ面５５間に介装される第１シール部材８９を有する。下側分割部材５１の合わせ面５５には、第１シール部材８９を嵌め込み可能な溝部９１が形成され、その溝部９１内に第１シール部材８９が配置される。第１シール部材８９は、溝部９１に非接着で脱着自在に配置される。
【００４３】
第１シール部材８９は、図５に示すように、吐出通路３３の周壁部４９の内周壁面３３ｂであって、吐出口１３の横幅方向一方の開口縁１３ａから他方の開口縁１３ａにかけて連なる内周壁面３３ｂに沿って延びるように形成される。第１シール部材８９は、吐出通路３３を横幅方向両側と奥側との三方から囲むように配置されることになる。
【００４４】
図８に戻り、上側分割部材５３の合わせ面５５には、第１シール部材８９と上下方向Ｚに対向する位置に突部９３が形成される。突部９３は、第１シール部材８９が延びる方向に沿った突条として形成される。突部９３は第１シール部材８９を押圧し、複数の合わせ面５５間が第１シール部材８９によりシールされる。これにより、第１シール部材８９は、吐出通路３３内の水が合わせ面５５間を通して外部に漏洩するのを規制する。より詳細には、合わせ面５５を通して吐水部材１９の外周面１９ｃから漏洩したり、収納部８３の挿通孔８５等から漏洩するのを規制する。
【００４５】
なお、間隔保持部６９の先端面６９ｄと、これに対向する上側分割部材５３の上壁面７３との間には環状の第２シール部材９５が介装される。第２シール部材９５も、第１シール部材８９と同様、先端面６９ｄに形成された環状溝部９７内に非接着で脱着自在に配置される。上壁面７３には、第２シール部材９５と上下方向Ｚに対向する位置に環状の突部９９が形成される。突部９９も第２シール部材９５を押圧し、先端面６９ｄと上壁面７３との間が第２シール部材９５によりシールされる。
【００４６】
複数の挿通孔８５は、図５に示すように、吐水部材１９の周壁部４９の内周壁面３３ｂに沿うように間隔を空けて配置される。つまり、複数の固定具８１も、本図では図示しないが、同様の位置関係で配置されることになる。これら固定具８１は、横幅方向Ｘに隣り合うもの同士が、吐水部材１９の横幅方向Ｘ中間部１９ｂでの間隔Ｌ１より、吐水部材１９の横幅方向Ｘ両端部１９ａでの間隔Ｌ２が狭くなるように配置される。
【００４７】
以上の実施形態に係る吐水装置１０の動作を説明する。
吐水部材１９では、図４に示すように、予め定められた流量の水が給水ポンプ２２１（図２参照）から圧送され、その水が導水路１７を通して流入口３５から貯溜室３７内に流入し、貯溜室３７内に一時的に貯溜水として溜められる。貯溜室３７内に貯溜水が溜められた状態で流入口３５から水が送り込まれることにより、貯溜室３７内の貯溜水が加圧され、その水圧により絞り流路３９を通して貯溜水が吐出口１３に送り出され、吐出口１３から吐水流Ｗが吐き出される。
【００４８】
ここで、上流側である流入口３５から流入する水は、流入口３５から絞り流路３９の入口３９ａに向けて広がるように流れる。この水流は、貯溜室３７を通るときに、吐出通路３３の通路高さを一定にする場合より流速が大きく低下し、流入口３５から絞り流路３９の入口３９ａに到達するまでの間に、吐出通路３３の横幅方向Ｘで流速が均一となるように効果的に整流される。
【００４９】
以上の実施形態に係る吐水装置１０の作用効果を説明する。
吐水部材１９は、吐出口１３、貯溜室３７及び絞り流路３９のそれぞれが上側分割部材５３と下側分割部材５１の両方により画定される。よって、各分割部材５１、５３を分解したとき、吐出口１３から貯溜室３７の範囲にかけて、吐出通路３３の内壁面７１、７３、３３ｂを外部空間２３５に露出させることができる。一般に、中空断面を有する部位を成形するうえでは、単一部品により一体成形するよりも、複数部品により別々に成形して、その内壁面が外部空間に露出するようにした方が、成形難度が低くなり、その内壁面の寸法精度を確保し易い。よって、本実施形態に係る吐水部材１９によれば、吐出通路３３の内壁面７１、７３、３３ｂの面粗さを抑え易くなり、その面粗さに起因する吐水流Ｗの形状の乱れを抑え易くなる。特に、各分割部材５１、５３は樹脂成形品であるため、金属鋳造品のような鋳肌面が吐出通路３３の内壁面７１、７３、３３ｂに生じず、その面粗さを大きく抑えられる。
【００５０】
また、吐出通路３３内に供給される水流は、流入口３５から流入したときの急激な流路断面の変化により乱れが生じ易い。また、横長な吐水流Ｗを勢いよく吐き出すうえで、吐出通路３３は、その通路幅が広く、かつ、その通路高さが低い断面形状となる。よって、その内部を流れる水流も横長で薄い形状となり、吐出通路３３内での乱流や異物の引っかかり等の影響を受け易くなる。また、流入口３５から吐出口１３までの距離は吐出口１３の横幅方向位置により変化し、吐出口１３の横幅寸法、つまり、吐水流Ｗの横幅寸法が大きくなるほど、その最小距離と最大距離との差が大きくなり易い。以上の要因から、吐出口１３から吐き出される吐水流Ｗは、かりに、吐出通路３３に貯溜室３７がない場合、吐出口１３の横幅方向Ｘで流速がばらつき易くなり、その形状が乱れ易くなる。
【００５１】
この点、本実施形態に係る吐水部材１９は、吐出通路３３に貯溜室３７が形成されるため、吐出通路３３内の水流の流速が貯溜室３７を通るときに低下し、貯溜室３７内で横幅方向Ｘでの流速が均一となるように効果的に整流できる。よって、吐出口１３から吐き出される吐水流Ｗは、その横幅方向Ｘで流速を均一にし易くなり、その形状の乱れを抑えることにより、美観に優れた吐水流Ｗにすることが可能となる。また、美観に優れた吐水流Ｗを入浴者の肩にかける等することにより、更なるリラックス効果を得られる。
【００５２】
また、貯溜室３７は、吐出通路３３の対向する一対の下壁面７１と上壁面７３のそれぞれが、絞り流路３９の入口３９ａより互いに離れる方向に広がるように形成される。よって、貯溜室３７が、一対の壁面７１、７３の一方のみが離れる方向に広がるように形成される場合よりも、その内部の容積を大きくし易くなる。この結果、貯溜室３７内の貯溜水の水圧を低くして、その流速も低くし易くなり、貯溜室３７内で横幅方向Ｘでの流速が均一となるようにより効果的に整流できる。
【００５３】
また、吐水部材１９は、図８に示すように、吐出通路３３内に配置される間隔保持部６９を有するため、次の利点がある。吐水装置１０は、装置本体１１の上面に枕部材を配置し、その上に入浴者が頭を載せて用いる場合がある。この場合、吐水部材１９には、吐出通路３３の間隔を狭めるような荷重が加わる。この荷重により吐出通路３３の間隔が狭まると、吐水流Ｗの形状が乱れる恐れがある。特に、吐出通路３３内を流れる水流は、上述のように横長で薄い形状となるため、吐出通路３３の間隔の変化による影響を受け易い。この点、本実施形態では間隔保持部６９により吐出通路３３の間隔を保持できるため、吐水部材１９に上述の荷重が加わる場合でも、吐水流Ｗの形状の乱れを抑え易くなる。特に、各分割部材５１、５３は強度を確保し難い樹脂成形品であるが、その場合でも荷重による吐出通路３３の間隔を変化を抑えられる点に大きな利点がある。
【００５４】
このとき、吐出通路３３内に間隔保持部６９を配置すると、間隔保持部６９により水流が分断される。この点、本実施形態に係る間隔保持部６９は、水流の流速が遅く、かつ、吐出口１３までの距離が絞り流路３９よりも遠い貯溜室３７に配置される。よって、間隔保持部６９により水流が分断されても、分断された水流が吐出口１３に到達する前に早期に合流し易くなり、水流の分断に起因する吐水流Ｗの形状の乱れを抑え易くなる。
【００５５】
また、第１シール部材８９は、かりに、上側分割部材５３に非接着で取り付けると、各分割部材５１、５３の組み付け時に容易に外れるうえ、接着で取り付けると組み付け作業が面倒になる。特に、本形態に係る第１シール部材８９は、吐出通路３３を三方から囲むような複雑な形状であるため、上側分割部材５３に接着で取り付けると組み付け作業が一層面倒となる。この点、本実施形態に係る第１シール部材８９は、下側分割部材５１の溝部９１内に配置されるため、第１シール部材８９を溝部９１内に非接着で載せた状態のまま上側分割部材５３を下側分割部材５１に組み付け可能となり、組み付け時の作業性が良好になる。
【００５６】
また、吐水部材１９には、固定部材２３１（図４参照）のねじ込みや吐出通路３３内の水圧等に起因して上下方向に反るような曲げ力が加わる場合がある。ここで、吐水部材１９は、横幅の広い吐水流Ｗを吐き出しつつ、その占有スペースを抑えるため、図５に示すように、横幅寸法より奥行寸法を小さくしている。よって、吐水部材１９の横幅方向Ｘ中間部１９ｂよりも両端部１９ａの方が、曲げ力の加わる力点からの距離、つまり、力点から作用点までの距離が長くなり易く、それだけ大きい曲げモーメントが作用し易い。この点、本実施形態では、複数の固定具８１（本図では不図示）について、吐水部材１９の中間部１９ｂでの間隔Ｌ１より両端部１９ａでの間隔Ｌ２が狭くなるように配置しており、その両端部１９ａでの固定度が中間部１９ｂより高くなる。よって、吐水部材１９の中間部１９ｂでは固定具８１の間隔Ｌ１を広くしてその数を抑えつつ、その両端部１９ａでは固定具８１の間隔Ｌ２を狭くして曲げモーメントに効果的に抵抗でき、各分割部材５１、５３が結合した状態を安定して維持できる。
【００５７】
また、各分割部材５１、５３は樹脂成形品であるため、樹脂組成物に着色剤を混ぜることにより、様々な色のバリエーションの吐水装置１０を提供できる。また、各分割部材５１、５３は樹脂成形品であるため、防食処理等の後加工が不要となり、生産性が向上する。
【００５８】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００５９】
吐水装置１０は、その設置対象となる基体が浴槽２１０である例を説明したが、基体の具体的構成はこれに限られない。吐水装置１０は、この他にも洗面所の洗面台や、キッチンの流し台等を基体として設置されてもよい。いずれの場合でも、基体に設置面２１７を設け、その設置面２１７に吐水装置１０を設置してもよい。
【００６０】
吐出口１３は横長なスリット状に形成され、吐出通路３３は吐出口１３の延びる方向に横長に形成された。これらの形状はこれに限られず、たとえば、円形状等に形成されてもよい。
【００６１】
上側分割部材５３と下側分割部材５１は樹脂成形品である例を説明したが、他の金属鋳造品等でもよい。この場合でも、中空断面の通路部２３が複数部品の組み付けにより構成されるため、それらの分解により吐出通路３３の内壁面を切削、研磨等の後加工により面粗さを容易に低くできる。
【００６２】
上側分割部材５３と下側分割部材５１は、吐水部材１９を上下に分割した形状を有する第１分割部材、第２分割部材として説明した。これらは、この他にも、横幅方向Ｘに分割した形状を有していてもよい。いずれの場合でも、各分割部材は、貯溜室３７から吐出口１３に向かう方向と交差する方向に分割した形状を有していればよい。
【００６３】
下側分割部材５１と上側分割部材５３は固定具８１により脱着可能に組み付けられたが、これに限られず、スナップフィット等により組み付けられてもよい。流入口３５は吐出通路３３の下壁面７１に形成されたが、吐出通路３３の壁面に形成されていればよく、上壁面７３、奥壁面または側壁面に形成されてもよい。
【００６４】
間隔保持部６９は、下側分割部材５１から立ち上がるように一体に形成される例を説明したが、上側分割部材５３と一体に形成されてもよいし、各分割部材５１、５３と別体に設けられてもよい。
【００６５】
位置決め構造７９は、位置決め凸部７７と位置決め凹部７５の組み合わせにより構成される例を説明したが、これに限られない。位置決め構造７９は、たとえば、下側分割部材５１及び上側分割部材５３の一方に設けられ、他方に向けて突き出るガイド用凸部により構成されてもよい。この場合、各分割部材５１、５３の組み付け時において、それらの他方がガイド用凸部により案内されるようにして、これらが位置決めされる。また、位置決め構造７９は、上側分割部材５３に位置決め凸部７７を設け、下側分割部材５１に位置決め凹部７５を設ける例を説明したが、上側分割部材５３に位置決め凹部７５を設け、下側分割部材５１に位置決め凸部７７を設けてもよい。
【００６６】
固定具８１は、下側分割部材５１に設けた収納部８３内に収納される例を説明したが、上側分割部材５３に設けた収納部８３内に収納されてもよい。いずれの場合も、吐出通路３３を囲む周壁部４９に相当する箇所にて下側分割部材５１、上側分割部材５３の何れか一方に収納部８３を設け、他方に被取付部８７が設けられる。
請求項１
吐出通路が内部に形成される吐水部材を備え、
前記吐出通路は、水を吐き出すための吐出口と、上流側から流入する水を溜めるための貯溜室と、前記貯溜室内の水を前記吐出口に送り出すための絞り流路とにより形成され、
前記吐水部材は、第１分割部材と第２分割部材を組み付けて構成され、
前記吐出口、前記貯溜室及び前記絞り流路のそれぞれが前記第１分割部材と前記第２分割部材の両方により画定されることを特徴とする吐水装置。
請求項２
前記貯溜室は、前記吐出通路の対向する一対の壁面のそれぞれが、前記絞り流路の入口より互いに離れる方向に広がるように形成されることを特徴とする請求項１に記載の吐水装置。
請求項３
前記吐水部材は、前記吐出通路内に配置され、前記吐出通路の対向する一対の壁面の間隔を保持する間隔保持部を更に有することを特徴とする請求項１または２に記載の吐水装置。
請求項４
前記間隔保持部は、前記貯溜室内に配置されることを特徴とする請求項３に記載の吐水装置。
請求項５
前記第１分割部材及び前記第２分割部材は、互いに突き合わせられる複数の合わせ面と、前記複数の合わせ面間に介装され、該複数の合わせ面の間をシールするシール部材と、を有することを特徴とする請求項１から４のいずれかに記載の吐水装置。
請求項６
前記第１分割部材及び前記第２分割部材は、前記吐水部材を上下に分割した形状を有する上側分割部材及び下側分割部材であり、
前記複数の合わせ面は、上下方向に対向して設けられ、
前記シール部材は、下側分割部材の合わせ面に形成される溝部内に配置されることを特徴とする請求項５に記載の吐水装置。
請求項７
前記吐水部材は、前記第１分割部材と前記第２分割部材を組み付けるときに、該第１分割部材と該第２分割部材とを位置決めする位置決め構造を有することを特徴とする請求項１から６のいずれかに記載の吐水装置。
請求項８
前記吐水部材は、前記吐出通路の横幅方向両側と、前記吐出口とは反対側の奥側との三方から該吐出通路を囲む周壁部を有し、
前記第１分割部材及び前記第２分割部材は、前記周壁部の内周壁面に沿うように間隔を空けて配置される複数の固定具により結合され、
前記複数の固定具は、前記吐水部材の横幅方向両端部での間隔より中間部での間隔が狭くなるように配置されることを特徴とする請求項１から７のいずれかに記載の吐水装置。
請求項９
前記第１分割部材と前記第２分割部材は樹脂成形品であることを特徴とする請求項１から８のいずれかに記載の吐水装置。
請求項１０
前記吐出口は横長なスリット状に形成され、
前記吐出通路は前記吐出口の延びる方向に横長に形成されることを特徴とする請求項１から９のいずれかに記載の吐水装置。
請求項１１
請求項１〜１０のいずれかに記載の吐水装置と、
前記吐水装置が設置される浴槽と、を備えることを特徴とする浴槽装置。
【符号の説明】
【００６７】
１０  吐水装置、  １３  吐出口、  １９  吐水部材、  １９ａ  両端部、  １９ｂ  中間部、  ３３  吐出通路、  ３３ｂ  内壁面、  ３７  貯溜室、  ３９  絞り流路、  ３９ａ  入口、  ４９  周壁部、  ５１  下側分割部材、  ５３  上側分割部材、  ５５  合わせ面、  ６９  間隔保持部、  ７９  構造、  ８１  固定具、  ９１  溝部、  ２００  浴槽装置、  ２１０  浴槽。
【図１】
2020041417.tif 000003
【図２】
2020041417.tif 000004
【図３】
2020041417.tif 000005
【図４】
2020041417.tif 000006
【図５】
2020041417.tif 000007
【図６】
2020041417.tif 000008
【図７】
2020041417.tif 000009
【図８】
2020041417.tif 000010
【図９】
2020041417.tif 000011